(57)【要約】【課題】花立てに雨水を自動的に供給すると共に、花立て内の水を浄化するようにした墓石を提供する。【解決手段】供物台４を、基壇１に隣接する後部側高段部５とこれより低い前部側低段部６との階段状に形成し、高段部５の上面は周辺部に堰壁を形成して雨水受け面５ｏとし、雨水受け面５ｏの所要部に受け面５ｏ上の雨水を排水する排水溝７を設けて、花立て１０の底部には流出孔８を設け、この流出孔８の先端部を高段部５の前側壁面５ａに開口し、低段部６の上面所要箇所に花立て挿入孔９を上下方向に貫通して設け、花立て挿入孔９に花立て１０を挿入して固定し、流出孔８の先端開口部８ａに上端部を接続した給水ホース１１の下端部を花立て１０内の底部近くまで挿入してなる。【選択図】図１
0003112327.tif 000002
【実用新案登録請求の範囲】
【請求項１】
基壇の上に台石を介して竿石を積み上げ、基壇の前部に供物台を設けてなる墓石であって、供物台を、基壇に隣接する後部側高段部と、これより低い前部側低段部との階段状に形成し、高段部の上面はその周辺部に堰壁を形成して雨水受け面とし、この雨水受け面の所要部に受け面上の雨水を排水する排水溝を設け、この排水溝の底部には流出孔を設けて、この流出孔の先端部を高段部の前側壁面に開口し、低段部の上面所要箇所には花立て挿入孔を上下方向に貫通して設け、この花立て挿入孔に花立てを挿入して固定し、前記流出孔の先端開口部に上端部を接続した給水ホースの下端部を花立て内の底部近くまで挿入してなることを特徴とする墓石。
【請求項２】
基壇の上に台石を介して竿石を積み上げ、基壇の前部に供物台を設けてなる墓石であって、供物台を、基壇に隣接する後部側高段部と、これより低い前部側低段部との階段状に形成し、高段部の上面はその周辺部に堰壁を形成して雨水受け面とし、この雨水受け面の所要部に受け面上の雨水を排水する排水溝を設け、この排水溝の底部には流出孔を設けて、この流出孔の先端部を高段部の前側壁面に開口し、低段部の上面所要箇所には花立て挿入孔を上下方向に貫通して設け、この花立て挿入孔に漏斗状の広口部を有する花立てを挿入して固定すると共に、広口部の周縁部を高段部の前側壁面に当接させて前記流出孔の先端開口部から流出する水を受けるようにし、花立て内には排水ホースの一端部を底部近くまで挿入し、その他端部を広口部から外側へ下向きに所定高さ位置に突出させてなることを特徴とする墓石。
【請求項３】
前記排水溝は雨水受け面の前端部にその左右方向に延びるように形成し、この排水溝の底部から高段部の前側壁面に開口する流出孔を設けてなることを特徴とする請求項１又は２に記載の墓石。
【請求項４】
前記堰壁は、高段部上面の前端縁部に沿って延びる前堰壁部と、左右両側縁部に沿って延びる左右堰壁部とによって平面視コ字状に形成されてなることを特徴とする請求項１〜３の何れかに記載の墓石。
【考案の詳細な説明】
【技術分野】
【０００１】
本考案は、墓石に関するもので、より詳しくは、花立てに雨水を自動的に供給するようにした墓石に関する。
【背景技術】
【０００２】
墓石は、その形式や慣行の違いから多種多様ではあるが、我が国における墓石の一般的な形態は、基壇の上に台石を介して竿石を積み上げ、基壇の前部に供物台を設けてなるもので、供物台には、花立て、線香立て、ローソク立て等が配備される。
【０００３】
ところで、墓石の供物台に配備される花立てに挿した花やシキミなどの生花を新鮮な状態に一定期間維持するためには、花立て内に常に一定量の水を供給する必要がある。このような墓石用の花立て内に常時適量の水を供給するようにした考案が、実開平１−１５７８５５号公報に開示されている。この花立て用の水供給器具は、携帯用水容器にホースを設け、このホースの途中に支管を分岐させると共に、この分岐箇所に調整弁を設け、この弁の開度を適宜調整することにより、花立て内へ常時適量の水が供給されるようにしたものである。
【考案の開示】
【考案が解決しようとする課題】
【０００４】
上記公報に記載の花立て用水供給器具によれば、携帯用水容器内の水が減ってくれば、補給してやる必要があり、また花立て内には携帯用水容器内の水が長期にわたり溜まり放しの状態にあるから、花立て内の水が腐り易く、ボウフラがわいて、蚊の発生源となる。更に、この水供給器具は、花立て内に挿入するものであるから、比較的小さい花立てでは、花等の挿入に支障を来たし、比較的大型の花立てにしか適用できないことになる。
【０００５】
本考案は、雨水を利用して、この雨水を花立てに自動的に供給すると共に、降雨時に花立ての水を溢出させて浄化するようにし、もって上記の課題を解決することのできる墓石を提供することを目的とする。
【課題を解決するための手段】
【０００６】
上記課題を解決するための手段を、後述する実施形態の参照符号を付して説明すると、請求項１に係る考案は、基壇１の上に台石２を介して竿石３を積み上げ、基壇１の前部に供物台４を設けてなる墓石であって、供物台４を、基壇１に隣接する後部側高段部５と、これより低い前部側低段部６との階段状に形成し、高段部５の上面はその周辺部に堰壁を形成して雨水受け面５ｏとし、この雨水受け面５ｏの所要部に受け面５ｏ上の雨水を排水する排水溝７を設け、この花立て１０の底部には流出孔８を設けて、この流出孔８の先端部を高段部５の前側壁面５ａに開口し、低段部６の上面所要箇所には花立て挿入孔９を上下方向に貫通して設け、この花立て挿入孔９に花立て１０を挿入して固定し、前記流出孔８の先端開口部８ａに上端部を接続した給水ホース１１の下端部を花立て１０内の底部近くまで挿入してなることを特徴とする。
【０００７】
請求項２に係る考案は、基壇１の上に台石２を介して竿石３を積み上げ、基壇１の前部に供物台４を設けてなる墓石であって、供物台４を、基壇１に隣接する後部側高段部５と、これより低い前部側低段部６との階段状に形成し、高段部５の上面はその周辺部に堰壁を形成して雨水受け面５ｏとし、この雨水受け面５ｏの所要部に受け面５ｏ上の雨水を排水する排水溝７を設け、この花立て１０の底部には流出孔８を設けて、この流出孔８の先端部を高段部５の前側壁面５ａに開口し、低段部６の上面所要箇所には花立て挿入孔９を上下方向に貫通して設け、この花立て挿入孔９に漏斗状の広口部１０ａを有する花立て１０を挿入して固定すると共に、広口部１０ａの周縁部を高段部５の前側壁面５ａに当接させて前記流出孔８の先端開口部８ａから流出する水を受けるようにし、花立て１０内には排水ホース１６の一端部を底部近くまで挿入し、その他端部を広口部１０ａから外側へ下向きに所定高さ位置Ｐに突出させてなることを特徴とする墓石。
【０００８】
請求項３は、請求項１又は２に記載の墓石において、前記排水溝７は雨水受け面５ｏの前端部にその左右方向に延びるように形成し、この排水溝７の底部から高段部５の前側壁面５ａに開口する流出孔８を設けてなることを特徴とする。
【０００９】
請求項４は、請求項１〜３の何れかに記載の墓石において、前記堰壁は、高段部上面の前端縁部に沿って延びる前堰壁部ａと、左右両側縁部に沿って延びる左右堰壁部ｂ，ｂとによって平面視コ字状に形成されてなることを特徴とする。
【考案の効果】
【００１０】
上記解決手段による考案の効果を、後述する実施形態の参照符号を付して説明すると、請求項１に係る考案の墓石によれば、１週間に一度ないし１０日に一度の降雨によって、花立て１０内に雨水が自動的に給水されると共に、花立て１０内の水が新しい雨水と置き換わって浄化されるから、お墓まで水を運んでくる作業が不要になると共に、花立て１０内の水を枯らすことがなく、しかも花立て１０内の水を腐らせることなく、清浄に保っておくことができ、それによって花立て１０に挿した花やシキミ等の生花を長く持たせることができると共に、蚊の発生源をつくることもない。
【００１１】
また、この墓石によれば、花立て１０内には給水ホース１１を挿入するだけであって、給水ホース１１としては、細いビニールホースのようなものでも十分に使用できるから、花立て１０の大きさに制約されず、小さな花立て１０でも、逆にまた大きな花立て１０でも使用が可能となる。
【００１２】
請求項２に係る考案の墓石によれば、請求項１に係る考案と同様に、花立て１０内に雨水が自動的に給水されると共に、花立て１０内の水が新しい雨水と置き換わって浄化されるから、お墓まで水を運んでくる作業が不要になると共に、花立て１０内の水を枯らすことがなく、しかも花立て１０内の水を腐らせることなく、清浄に保っておくことができ、それにより花立て１０に挿した花やシキミ等の生花を長く持たせることができると共に、蚊の発生源をつくることもない。また、この墓石によれば、花立て１０内には排水ホース１６を挿入するだけであって、排水ホース１１としては細いビニールホースのようなものでも十分に使用できるから、花立て１０の大きさに制約されず、小さな花立て１０でも、逆にまた大きな花立て１０でも使用が可能となる。
【００１３】
請求項３に係る考案によれば、雨水受け面５ｏ上の雨水を排水する排水溝７は、雨水受け面５ｏの前端部に左右方向に延びるように形成し、この排水溝７の底部から高段部５の前側壁面５ａに開口する流出孔８を設けているから、雨水受け面５ｏ上の雨水を有効に排水できると共に、流出孔８の長さを短くできるため、その製作が容易となる。
【００１４】
請求項４に係る考案によれば、雨水受け面５ｏを形成するための堰壁は、高段部５上面の前端縁部に沿って延びる前堰壁部ａと、左右両側縁部に沿って延びる左右堰壁部ｂ，ｂとによって平面視コ字状に形成したもので、基壇１の前面１ａに隣接する高段部５の前端縁部には堰壁を形成してないから、基壇１や台石２、更には竿石３上に降り掛かった雨水を雨水受け面５ｏ上に有効に集めることができると共に、雨水受け面５ｏの製作も容易となる。
【考案を実施するための最良の形態】
【００１５】
以下に本考案の好適な実施形態を図面に基づいて説明すると、図１は本考案に係る墓石を示す斜視図、図２は同墓石の要部縦断側面図、図３は同墓石の要部縦断正面図である。この墓石は、内部を納骨室として使用される基壇１の上に台石２を積み、その上に墓標としての竿石３を積み上げ、そして基壇１の前部に隣接して供物台４を配置してなるものである。尚、台石２は、この実施形態では一段となっているが、複数段となる場合もある。また、これら基壇１、台石２、竿石３及び供物台４は、夫々例えば御影石によって形成されたものである。
【００１６】
供物台４は、基壇１に隣接する後部側高段部５と、この高段部５よりも低い前部側低段部６との階段状に形成されたもので、高段部５の上面は、その周辺部に堰壁ａ，ｂ，ｂを平面視コ字状に形成して雨水受け面５ｏとし、この雨水受け面５ｏの所要部には、この雨水受け面５ｏ上の雨水を排水する排水溝７を設け、この排水溝７の底部には、図２に示すような流出孔８を設けて、この流出孔８の先端部を高段部５の前側壁面５ａに開口する。また低段部６の上面６ｏの左右両端側には花立て１０を挿入するための花立て挿入孔９，９を、夫々上面６ｏから下面６ｓに亘って貫通するように設けている。
【００１７】
花立て１０は、プラスチックで一体成形されたもので、花立て挿入孔９の内径よりも僅かに大きい外径及び花立て挿入孔９の長さより短い長さを有する有底円筒状の筒体１０ａと、この筒体１０ａの上端部に突設された固定用フランジ１０ｂとからなり、筒体１０ａを花立て挿入孔９内に挿入して、フランジ１０ｂにより低段部６の上面６ｏに固定するようになっている。
【００１８】
しかして、高段部５の前側壁面５ａに開口する流出孔８の先端開口部８ａに、ビニールホースなどからなる可撓性の給水ホース１１の上端部を挿入して固定し、この給水ホース１１を、花立て挿入孔９に挿入固定した花立て１０内に挿入する。この給水ホース１１の下端部は、図２に示すように、花立て１０内の底部近くに位置させるようにする。
【００１９】
供物台４の背面（後側面）は基壇１の前面１ａに当接させる。この場合、供物台４の高段部５の上面である雨水受け面５ｏに受けられた雨水が、基壇１の前面１ａと、高段部５の背面（後側面）との隙間から漏出しないように、高段部５の背面の上端部側と基壇１の前面１ａとの間にフェルトなどからなるシールパッキン１２を挟み込むようにする。
【００２０】
また、供物台４の高段部５には雨水受け面５ｏである上面の中央部に、お供え用のお水を入れる容器を保持する凹所１３が設けられ、また低段部６の上面６ｏにはその中央部に線香立て１４が設けられている。なお、通常、雨水受け面５ｏ上には、お供え用の果物等を載せるようになっている。
【００２１】
次に、上記のような構成よりなる墓石において雨水が花立て１０に自動的に供給される作用について説明する。尚、この墓石の花立て１０には、図２に示すように花やシキミ等の生花１５が挿してあり、そして最初は手動的に給水するものとする。
【００２２】
雨天時に、降雨がそのまま供物台４の高段部５の雨水受け面５ｏ上に降り込むと共に、基壇１や台石２上更には竿石３上に降り掛かった雨水が雨水受け面５ｏに流れ込むことによって、雨水が雨水受け面５ｏ上に受けられ、こうして高段部５の雨水受け面５ｏ上に受けられた雨水は、排水溝７に流れ込んで排水される。
【００２３】
排水溝７に流れ込んだ雨水は、この排水溝７の底部に設けてある流出孔８を通り、この流出孔８の先端開口部８ａに接続された給水ホース１１を通って花立て１０内に流出し、花立て１０内への自動給水を行う。花立て１０から溢れ出た水は低段部６の上面６ｏを伝って排出される。
【００２４】
雨が降り続いている間は、上記の動作が連続して行われることになるが、雨が止めば、上記の動作が停止し、花立て１０内には雨水が満杯に溜まったままの状態にある。
【００２５】
この後、雨が降らなければ、花立て１０内の水は徐々に減っていき、またその水質が次第に悪くなっていくことになるが、気象庁の統計データによれば、雨というのは、１週間に一度ないし１０日に一度は必ず降るようになっていることから、例えば１週間後に雨が降ったとすると、雨水自動給水手段の上記のような動作によって、花立て１０内に雨水が自動給水されると共に、花立て１０内の古い水が浄化されることになる。
【００２６】
即ち、花立て１０に最初に給水を行ってから、１週間雨が降らなかったことにより、花立て１０内の水位が例えば１／３減少し、またその水質が悪くなりかけていたとしても、この１週間後の降雨によって、図２から分かるように、花立て１０内の底部近くまで挿入された状態の給水ホース１１の下端から雨水が供給されるため、花立て１０内の古い水が下から押し上げられる状態で花立て１０の上端から連続的に溢れ出るため、花立て１０内の水は新しい雨水と完全に置き換わって清浄化されることになると共に、再び満杯状態となるわけである。
【００２７】
上記のような本考案に係る墓石の雨水自動給水手段によれば、少なくとも１週間ないし１０日に一度の降雨によって、花立て１０内に雨水が自動的に給水されると共に、花立て１０内の水が新しい雨水と置き換わって浄化されるから、お墓まで水を運んでくる作業が不要になると共に、花立て１０内の水を枯らすことなく、しかも花立て１０内の水を腐らせることなく、清浄に保っておくことができ、それによって花立て１０に挿した花やシキミ等の生花を長く持たせることができると共に、蚊の発生源をつくることもない。
【００２８】
また、この雨水自動給水手段では、花立て１０内には給水ホース１１を挿入するだけであって、給水ホース１１としては、市販されている細いビニールホースのようなものでも十分使用できるから、花立て１０の大きさに制約されず、小さな花立て１０でも、逆にまた大きな花立て１０でも使用が可能となる。
【００２９】
また、この雨水自動給水手段では、雨水受け面５ｏ上の雨水を排水する排水溝７は、雨水受け面５ｏの前端部にその左右方向に延びるように形成し、この排水溝７の底部から高段部５の前側壁面５ａに開口する流出孔８を設けているから、雨水受け面５ｏ上の雨水を有効に排水できると共に、流出孔８の長さを短くできて、その製作が容易となる。
【００３０】
高段部５の上面に雨水受け面５ｏを形成するための堰壁は、高段部５上面の前端縁部に沿って延びる前堰壁部ａと、左右両側縁部に沿って延びる左右堰壁部ｂ，ｂとによって平面視コ字状に形成したもので、基壇１の前面１ａに隣接する高段部５の前端縁部には堰壁を形成してないから、基壇１や台石２上更には竿石３上に降り掛かった雨水を雨水受け面５ｏ上に有効に集めることができると共に、雨水受け面５ｏの製作も容易となる。
【００３１】
図４は本考案に係る他の墓石の実施形態を示す要部縦断側面図、図５は図４に示す墓石の要部平面図である。この墓石は、図１〜図３に示す墓石とほとんど同様であるが、低段部６の上面６ｏに設けた花立て挿入孔９に、漏斗状の広口部１０ａを有する花立て１０を挿入して固定し、この花立て１０の広口部１０ａの周縁部を高段部５の前側壁面５ａに当接させて前記流出孔８の先端開口部８ａから流出する水を受けるようにすると共に、花立て１０内には排水ホース１６の一端部を底部近くまで挿入し、その他端部を広口部１０ａから外側へ下向きに所定高さ位置Ｐに突出させるようにした点が図１〜図３に示す墓石と異なる。
【００３２】
花立て１０は、漏斗状広口部１０ａが花立て挿入孔９の上端から上方へ突出するように花立て挿入孔９内に挿入すると共に、広口部１０ａの周縁部を、高段部５の前側壁面５ａに設けた凹陥部１７に突入させる。この花立て１０はプラスチック製であるから、広口部１０ａの周縁部は、弾性変形させることによって、凹陥部１７に簡単に突入させることができる。
【００３３】
排水ホース１６は、図１〜図３に示す墓石の場合の給水ホース１１と同じくビニールホースなどからなる可撓性ホースで、図４に示すように、一端部を花立て１０内の底部近くまで挿入し、他端部は広口部１０ａから外側へ下向きに所定高さ位置Ｐに突き出させる。この位置Ｐは、低段部６の上面６ｏよりも上方所要位置（花立て挿入孔９に挿入した花立て１０の広口部１０ａの中間高さ位置）とする。この排水ホース１６は、適当な固定具で花立て１０内部に固定する。
【００３４】
上記のような構成よりなる墓石において雨水が花立て１０に自動的に供給される作用については、図１〜図３に示す墓石とほとんど同様であって、雨天時に、降雨がそのまま供物台４の高段部５の雨水受け面５ｏ上に降り込むと共に、基壇１や台石２上更には竿石３上に降り掛かった雨水が雨水受け面５ｏに流れ込むことによって、雨水が雨水受け面５ｏ上に受けられ、雨水受け面５ｏに受けられた雨水は、排水溝７に流れ込んで排水される。排水溝７に流れ込んだ雨水は、流出孔８を通って先端開口部８ａから流出するが、この流出水が花立て１０の広口部１０で受けられて、花立て１０内に供給され、花立て１０から溢れ出た水は低段部６の上面６ｏを伝って排出される。
【００３５】
そして、花立て１０内の水は、雨天時の自動給水中は常に広口部１０から水が溢れる状態にあるが、雨が止んで花立て１０内への給水が止まると、排水ホース１６により、花立て１０内の底部から吸い上げられて、一部排水され、花立て１０内の水位は、図４に示すように、広口部１０ａから外側へ下向きに突出したホース１６の他端位置Ｐとなる。この後、雨が降らなければ、花立て１０内の水は徐々に減っていき、またその水質が次第に悪くなっていくことになるが、例えば１週間後に雨が降ったとすると、雨水自動給水手段の上記のような動作によって、花立て１０内に雨水が自動給水されると共に、花立て１０内の古い水が浄化されることになる。
【図面の簡単な説明】
【００３６】
【図１】本考案の一実施形態に係る墓石を示す斜視図である。
【図２】同墓石の要部縦断側面図である。
【図３】同墓石の要部縦断正面図である。
【図４】本考案の他の実施形態に係る墓石を示す要部縦断側面図である。
【図５】図４に示す墓石の要部平面図である。
【符号の説明】
【００３７】
１            基壇
２            台石
３            竿石
４            供物台
５            後部側高段部
５ｏ          雨水受け面
６            前部側低段部
７            排水溝
８            流出孔
９            花立て挿入孔
１０          花立て
１１          給水ホース
ａ，ｂ        堰壁
１５          生花
１６          排水ホース
【図１】
0003112327.tif 000003
【図２】
0003112327.tif 000004
【図３】
0003112327.tif 000005
【図４】
0003112327.tif 000006
【図５】
0003112327.tif 000007